(57)【要約】【課題】使用頻度の高いコネクタの接続に便利な携帯型電子機器を提供する。【解決手段】ビデオカメラ１の筐体後面５ａに各種コネクタ７を設置し、このコネクタ設置領域８にリッドを取り付ける。このリッドはリッド１３と小リッド２４とからなる。小リッド２４の可撓舌片２５をリッド１３と筐体５のスリット１８，１１に通し、可撓性舌片２５の長孔２６を筐体５のボス部３３に係合させて、リッド１３と小リッド２４を筐体５に取り付ける。【選択図】  図１
2005011693.tif 000002
【特許請求の範囲】
【請求項１】
筐体のコネクタ設置領域にリッドを配設してなる携帯型電子機器において、上記リッドに開口を設けて特定のコネクタを外部に露出させるとともに、上記開口に小リッドを設けたことを特徴とする携帯型電子機器。
【請求項２】
上記リッドと小リッドが共通のヒンジによって取り付けられていることを特徴とする請求項１に記載の携帯型電子機器。
【請求項３】
上記リッドの閉止強度を上記小リッドの閉止強度よりも大きくしたことを特徴とする請求項２に記載の携帯型電子機器。
【請求項４】
上記小リッドの裏面に可撓舌片を延設するとともに、該可撓舌片を上記リッドのスリットに通し、上記可撓舌片をその延出方向に沿って移動可能な状態で上記筐体に係止したことを特徴とする請求項２または請求項３に記載の携帯型電子機器。
【請求項５】
上記可撓舌片に長孔を延出方向に沿って形成するとともに、該長孔に上記筐体の突起を係合させたことを特徴とする請求項４に記載の携帯型電子機器。
【発明の詳細な説明】
【０００１】
【発明の属する技術分野】
本発明は、筐体のコネクタ設置領域にリッドを配設してなる携帯型電子機器に関するものである。
【０００２】
【従来の技術】
ビデオカメラやデジタルスチルカメラなどの携帯型電子機器においては、外部機器と接続するため、多数のコネクタが筐体に設置されており、このコネクタ設置領域にはリッドが取り付けられている（特許文献１参照）。
【０００３】
【特許文献１】
特開平１０−３３６５０４号公報
【０００４】
【発明が解決しようとする課題】
しかし、この種の携帯型電子機器では、コネクタの使用頻度は種類によって異なるが、全てのコネクタが同一のリッド内に収容されているため、コネクタ使用の都度、大きなリッドを開いて、目的のコネクタを探さなければならず、操作性に問題がある。
【０００５】
本発明は、このような事情に鑑み、使用頻度の高いコネクタの接続に便利な携帯型電子機器を提供することを目的としている。
【０００６】
【課題を解決するための手段】
以上の課題を解決するための本発明は、筐体のコネクタ設置領域にリッドを配設してなる携帯型電子機器において、上記リッドに開口を設けて特定のコネクタを外部に露出させるとともに、上記開口に小リッドを設けたことを特徴とする。
【０００７】
かかる構成によれば、特定のコネクタを外部機器と接続する際には小リッドのみを開けばよく、多数のコネクタの中から目的のものを探す必要がなくなり、接続作業が容易になる。
【０００８】
上記リッドと小リッドは共通のヒンジによって取り付けられているのが好ましい。
この場合、ヒンジの共通化によって、部品点数の削減が図られ、コスト的に有利になる。
【０００９】
上記リッドの閉止強度は上記小リッドの閉止強度よりも大きくするのが好ましい。
この場合、小リッドを開いた際の、リッドの共開きを防止することができる。
【００１０】
上記小リッドの裏面に可撓舌片を延設するとともに、該可撓舌片を上記リッドのスリットに通し、上記可撓舌片をその延出方向に沿って移動可能な状態で上記筐体に係止するのが好ましい。
この場合、可撓舌片を小リッドと一体成形することができ、コスト的に有利になる。
【００１１】
上記可撓舌片に長孔を延出方向に沿って形成するとともに、該長孔に上記筐体の突起を係合させるのが好ましい。
この場合、小リッドをガイド構造と係止構造が簡単になり、リッドと小リッドの筐体に対する組み付けが容易になる。
【００１２】
【発明の実施の形態】
以下、本発明の実施の形態について、図面を参照しながら詳細に説明する。
図８は本発明のビデオカメラを示している。
このビデオカメラ１はカメラ部２とＶＴＲ部３とからなり、カメラ部２には折畳式の液晶表示装置４を備えている。カメラ部２の筐体５の後面（ファインダ６の設置面）５ａには各種コネクタ７が設置されている。このうち、７ａはＵＳＢコネクタ、７ｂはイヤフォンジャック、７ｃはＤＶコネクタ、７ｄはＡＶコネクタ、７ｅはＤＣ電源供給コネクタである。
【００１３】
図１は、これらコネクタ７の設置領域８に取り付けるリッドを示している。
コネクタ設置領域８は筐体後面５ａよりも一段低い凹部を形成するとともに、その底面には各コネクタ７ａ〜７ｅの挿通孔９ａ〜９ｅが開口している。コネクタ設置領域８の右端には、上部と中間部に矩形の孔１０がそれぞれ形成してある。また、ＤＣ電源供給コネクタ７ｅの挿通孔９ｅの下方には矩形のスリット１１を形成してある。さらに、コネクタ設置領域８の左側周壁部８ａの中間部にも矩形の孔１２を形成してある。なお、ＵＳＢコネクタ７ａの挿通孔９ａの下方には凹部５０を形成してある。
【００１４】
リッド１３はコネクタ設置領域８の形状に対応して略Ｌ字型に形成するとともに、その下端部にはＤＣ電源供給コネクタ７ｅの挿通孔１４を形成してある。この挿通孔１４は段付孔に形成してリッド１３の表面に矩形に開口させるとともに、この開口１５の周壁には左右一対の凹部１６を形成してある。さらに、挿通孔１４の段部１７で挿通孔１３の下方には矩形のスリット１８を形成する一方、リッド１３の表面には半円形の凹部１９を開口１５に隣接させて形成してある。
【００１５】
リッド１３は短片部１３ａの側面に凹部２０を形成し、この凹部１９に隣接させて半円形の膨出部２１を表面側に膨出形成してある。さらに、長辺部１３ｂの側面に係止爪２２を備える一方、裏面には断面十文字状の突起２３を一対備えている（図２参照）。このリッド１３はＡＢＳ等の樹脂で成形されているが、突起２３はこれよりも軟質の樹脂で成形されている。なお、リッド１３の裏面には突起５１を突設してある。
【００１６】
リッド１３の開口１５には小リッド２４が取り付けられる。この小リッド２４は軟質の樹脂で成形され、その裏面には可撓舌片２５を延設してある。この可撓性舌片２５には、長孔２６が延出方向に沿って形成されている。さらに、小リッド２４は上縁に半円形の膨出部２７を備えるとともに、左右の側面に係止爪２８をそれぞれ備えている。可撓舌片２５は、その左右の側面で小リッド１３との境界部に一対の突起２９，２９をそれぞれ形成するとともに、これら突起２９，２９の前後に縊れ部３０を形成してある。さらに、可撓舌片２５の下面には、図３に示すように小リッド１３との境界にスリット３１を形成するとともに、このスリット３１に隣接して係止爪３２を形成してある。
【００１７】
リッド１３と小リッド２４の筐体５への組み付けは、次のようにして行う。
まず、小リッド２４の可撓舌片２５をリッド１３と筐体５のスリット１８，１１に通し、可撓性舌片２５の長孔２６を筐体５のボス部３３に係合させる（図４参照）。
【００１８】
そして、リッド１３の突起２３，２３を筐体５の孔１０，１０に嵌入するとともに、リッド１３の係止爪２２を筐体５の孔１２に係合させ、リッド１３の突起５１を筐体５の凹部５１に係合させてリッド１３を筐体５に固定する。最後に、小リッド２４の突起２８，２８をリッド１３の凹部１６，１６に係合させるとともに、可撓舌片２５の縊れ部３０，３０を筐体５とリッド１３のスリット１１，１８の周縁に係合させ（図５参照）、可撓舌片２５の係止爪３２をリッド１３のスリット１８の周縁に係合させることで（図４参照）、小リッド２４をリッド１３に固定する。
【００１９】
ところで、ＤＣ電源供給コネクタ７ｅにＤＣアダプタ（図示せず）を接続してバッテリを充電する場合には、小リッド２４の膨出部２７とリッド１３の凹部１９との間の隙間に指を掛けて、図７に示すように小リッド２４を手前に倒して開けばよい。その際、可撓舌片２５がスリット３１の位置で屈曲する。なお、リッド１３は、その突起２３，２３を筐体５の孔１０，１０に係合させて閉止してあるので、つまり、リッド１３の閉止強度が小リッド２４のそれよりも大きくなっているので、小リッド２４を開く際にリッド１３が開いてしまうことはない。
【００２０】
一方、他のコネクタ７ａ〜７ｄを外部機器と接続する場合には、リッド１３の、膨出部２１の裏側に凹部２０に指を掛けて、図６に示すようにリッド１３を手前に倒して開けばよい。その際、可撓舌片２５がボス部３３にガイドされながら筐体５から引き出される。
【００２１】
このビデオカメラ１は、使用頻度の高いＤＣ電源供給コネクタ７ｅを小リッド２４内に収容してあるので、このコネクタ７ｅを外部機器と接続する際には、小リッド２４のみを開けばよく、多数のコネクタの中から目的のものを探す必要がなくなり、接続作業が容易になる。
【００２２】
さらに、リッド１３と小リッド２４を共通のヒンジ（可撓舌片２５）によって筐体５に取り付けるとともに、可撓舌片２５を小リッド２４と一体成形してあるので、部品点数の削減が図られ、コスト的に有利になる。
【００２３】
また、可撓舌片２５に長孔２６を延出方向に沿って形成するとともに、この長孔２６に筐体５のボス部３３を係合させてあるので、小リッド２４のガイド構造と係止構造が簡単になり、リッド１３と小リッド２４の筐体５に対する組み付けが容易になる。
【００２４】
なお、本発明は以上の実施形態に限定されるものではなく、種々の変形が可能である。
例えば、小リッド２４内に収容するコネクタは、比較的に使用頻度が高いものであれば、他のコネクタであってもよい。
【００２５】
【発明の効果】
以上のように本発明によれば、特定のコネクタを外部機器と接続する際には小リッドのみを開けばよく、多数のコネクタの中から目的のものを探す必要がなくなり、接続作業が容易になる。
【図面の簡単な説明】
【図１】本発明に係るビデオカメラを示す図で、そのコネクタ設置領域におけるリッドの取付構造を示す分解斜視図である。
【図２】図１のリッドと小リッドを裏側から見た図である。
【図３】図２の小リッドを下方から見た図である。
【図４】図１のＡ−Ａ線断面図である。
【図５】図１のＢ−Ｂ線断面図である。
【図６】図４のリッドを開いた状態を示す図である。
【図７】図４の小リッドを開いた状態を示す図である。
【図８】ビデオカメラの後面図で、リッドを取り外して示す図である。
【符号の説明】
１  ビデオカメラ
７  コネクタ
８  コネクタ設置領域
９  コネクタ挿通孔
１０  孔
１１  スリット
１３  リッド
１４  ＤＣ電源供給コネクタ挿通孔
１５  開口
１８  スリット
２３  突起
２４  小リッド
２５  可撓舌片
２６  長孔
２９  突起
３２  係止爪
３３  ボス部
【図１】
2005011693.tif 000003
【図２】
2005011693.tif 000004
【図３】
2005011693.tif 000005
【図４】
2005011693.tif 000006
【図５】
2005011693.tif 000007
【図６】
2005011693.tif 000008
【図７】
2005011693.tif 000009
【図８】
2005011693.tif 000010